(57)【要約】【課題】容易に分解が可能であって、洗浄しやすく衛生的な飲料供給器を提供する。【解決手段】飲料をためる容器部と、該容器部を支持する台座部と、前記容器部と前記台座部の間に設けられた環状のシール部材と、前記容器部と前記台座部を連結する連結部と、前記容器部にためた飲料を供給するためのものであって前記台座部に形成された供給部を備え、前記容器部が、前記台座部に上側から載置されたものであって、下端部に形成された開口部と、該開口部の周縁部に形成された容器側継目部を有しており、前記台座部が、上面に形成された台座側継目部を有しており、前記シール部材が、前記容器側継目部と前記台座側継目部により上下から挟まれており、前記供給部と前記開口部が連通している。【選択図】図１
0003221590.tif 000002
【実用新案登録請求の範囲】
【請求項１】
飲料をためる容器部と、該容器部を支持する台座部と、前記容器部と前記台座部の間に設けられた環状のシール部材と、前記容器部と前記台座部を連結する連結部と、前記容器部にためた飲料を供給するためのものであって前記台座部に形成された供給部を備え、
前記容器部が、前記台座部に上側から載置されたものであって、下端部に形成された開口部と、該開口部の周縁部に形成された容器側継目部を有しており、
前記台座部が、上面に形成された台座側継目部を有しており、
前記シール部材が、前記容器側継目部と前記台座側継目部により上下から挟まれており、
前記供給部と前記開口部が連通していることを特徴とする飲料供給器。
【請求項２】
前記容器側継目部と前記台座側継目部の一方が、他方側に向けて突出する環状の突起部からなり、
前記容器側継目部と前記台座側継目部の他方が、一方側に向けて開口する環状の溝部からなり、
前記突起部が前記溝部に挿入されていて、前記シール部材が前記突起部と前記溝部の底面に挟まれていることを特徴とする請求項１記載の飲料供給器。
【請求項３】
前記シール部材が、前記容器側継目部と前記台座側継目部の一方と一体化しているものであって、一方側の固定部と、他方側の当接部からなり、
前記固定部が、前記容器側継目部と前記台座側継目部の一方に固定されており、前記当接部が、他方側に向けて突出していることを特徴とする請求項１または２記載の飲料供給器。
【請求項４】
前記シール部材の当接部の周方向に直交する断面の形状が、突出方向に向けて先細る形状であることを特徴とする請求項３記載の飲料供給器。
【考案の詳細な説明】
【技術分野】
【０００１】
本考案は、ビールなどの飲料を供給するための飲料供給器に関する。
【背景技術】
【０００２】
従来、テーブルなどに載置してビールなどの飲料を供給するための飲料供給器として、特許文献１に示すようなものがある。この飲料供給器は、ベースと、ベース上に設けたコックを有する栓体と、栓体の上部に設けたパイプを備えており、パイプ内に貯留された飲料が、コックの操作により供給されるものである。栓体とパイプとは、内部を洗浄できるように着脱可能な構造となっている。より詳しくは、栓体の上部外周面に環状溝を形成してあってＯリングが嵌められており、その外周側にパイプの下端部が嵌まっていて、パイプの下部内周面がＯリングに当接している。そして、この飲料供給器においては、環状溝を末広がり形態となるテーパー形状に形成してある。これにより、パイプの下部に栓体の上部を着脱する際に、Ｏリングがテーパーに沿って回転するため、軽い力で栓体とパイプとを容易に着脱できるというものである。
【先行技術文献】
【特許文献】
【０００３】
【特許文献１】特開平１１−３１４６９５号公報
【考案の概要】
【考案が解決しようとする課題】
【０００４】
しかしながら、実際には、この特許文献１の飲料供給器において、パイプに栓体を取り付けて、栓体の外周面とパイプの内周面との間でＯリングが押しつぶされると、その後パイプから栓体を取り外そうとしても、Ｏリングがパイプと栓体に密接して回転せず、大きな摩擦抵抗が生じて取り外すには大きな力が必要であった。そして、このように分解に手間がかかると、洗浄の頻度が低くなり、結果として不衛生な状態となるおそれがあった。
【０００５】
本考案は、このような事情を鑑みたものであり、容易に分解が可能であって、洗浄しやすく衛生的な飲料供給器を提供することを目的とする。
【課題を解決するための手段】
【０００６】
本考案は、飲料をためる容器部と、該容器部を支持する台座部と、前記容器部と前記台座部の間に設けられた環状のシール部材と、前記容器部と前記台座部を連結する連結部と、前記容器部にためた飲料を供給するためのものであって前記台座部に形成された供給部を備え、前記容器部が、前記台座部に上側から載置されたものであって、下端部に形成された開口部と、該開口部の周縁部に形成された容器側継目部を有しており、前記台座部が、上面に形成された台座側継目部を有しており、前記シール部材が、前記容器側継目部と前記台座側継目部により上下から挟まれており、前記供給部と前記開口部が連通していることを特徴とする。
【０００７】
また、本考案は、前記容器側継目部と前記台座側継目部の一方が、他方側に向けて突出する環状の突起部からなり、前記容器側継目部と前記台座側継目部の他方が、一方側に向けて開口する環状の溝部からなり、前記突起部が前記溝部に挿入されていて、前記シール部材が前記突起部と前記溝部の底面に挟まれているものであってもよい。
【０００８】
また、本考案は、前記シール部材が、前記容器側継目部と前記台座側継目部の一方と一体化しているものであって、一方側の固定部と、他方側の当接部からなり、前記固定部が、前記容器側継目部と前記台座側継目部の一方に固定されており、前記当接部が、他方側に向けて突出しているものであってもよい。
【０００９】
また、本考案は、前記シール部材の当接部の周方向に直交する断面の形状が、突出方向に向けて先細る形状であってもよい。
【考案の効果】
【００１０】
本考案によれば、容器部が台座部に上側から載置されたものであって、シール部材が上側の容器部の容器側継目部と下側の台座部の台座側継目部により上下から挟まれるものなので、台座部に対して容器部を着脱する方向と、シール部材が弾性変形する方向が同じである。よって、台座部に対して容器部を着脱する際に、シール部材と容器部や台座部との間に摩擦抵抗が生じることはないので、着脱が容易であり、特に分解が容易なことにより、洗浄しやすく衛生的である。
【００１１】
また、突起部が溝部に挿入されるものであれば、台座部に対して容器部が容易かつ確実に位置決めされるので、容器部を取り付けやすい。
【００１２】
また、シール部材が容器側継目部または台座側継目部と一体化しているものであれば、台座部に対する容器部の着脱がより容易である。また、容器部を台座部に取り付ける際に、シール部材が所定の位置からずれて水密が不完全になることがない。さらに、容器部を取り外す際に、シール部材が外れて床に落ちるようなこともなく、より衛生的である。
【００１３】
また、シール部材の当接部の断面が突出方向に向けて先細る形状であれば、容器側継目部と台座側継目部により上下から挟まれた際に弾性変形しやすく、より水密性が高いものとなる。
【図面の簡単な説明】
【００１４】
【図１】飲料供給器の縦断面図である。
【図２】容器部と台座部の接合部分の拡大縦断面図である。
【図３】飲料供給器の側面図である。
【図４】飲料供給器の正面図である。
【図５】飲料供給器の上面図である。
【図６】（ａ）は容器部の上端部の拡大縦断面図であり、（ｂ）は（ａ）のＡ−Ａ線断面図である。
【図７】容器部の製造方法の説明図であり、（ａ）は下端部、（ｂ）は上端部を示す。
【図８】台座部の上面図である。
【図９】（ａ）はシール部材の断面図であり、（ｂ）はシール部材の別形態の断面図である。
【図１０】連結部の説明図であり、（ａ）は側面図、（ｂ）は正面図である。
【考案を実施するための形態】
【００１５】
以下、本考案の飲料供給器の具体的な内容について説明する。この飲料供給器は、種々の飲料に対応し、種々の場所で用いられるものであるが、ここでは、飲食店のテーブルに載置されるビール用のサーバーとして用いられるものを例に示す。
【００１６】
図３〜図５に示すように、この飲料供給器は、飲料をためる容器部１と、容器部１を支持する台座部２と、容器部１と台座部２を連結する２つの連結部４と、容器部１にためた飲料を供給するためのものであって台座部２に形成された供給部５と、容器部１の上部に取り付けられた蓋６を備える。容器部１は、台座部２の上に載置されており、台座部２から側方へ突出するように供給部５が形成されている。この供給部５がある側を飲料供給器の前側（正面側）、その反対側を後側とし、前後方向に直交する水平向きの方向を左右方向とする。２つの連結部４は、容器部１および台座部２の左右に位置している。
【００１７】
容器部１は、図１（飲料供給器の縦断面図であるが、供給部５については外観を表示してある）に示すように、上下に向けて開口する断面円形の筒状のものであって、下部がくびれた形状である。ここでは、下端の開口を開口部１１と称し、上端の開口を投入口１３と称する。また、容器部１は、外容器７と内容器８からなる二重管構造であり、外容器７と内容器８の間には空隙Ｓが形成されている。これにより、容器部１は断熱性が高く、内部にためた飲料が温度変化しにくくなっている。さらに、容器部１（外容器７と内容器８）は、透明な樹脂からなり、内部にためた飲料が視認できるようになっている。
【００１８】
外容器７は、上端部において外径が最大であり、そこから下側に向けて外径が小さくなりかつ縮小率は徐々に大きくなっており、下部において下側に向けて外径の縮小率が小さくなり、縮小率が０となる高さ位置で外径が最小となり、下端部において下側に向けて外径がやや大きくなっている。最小径は最大径の略半分である。肉厚は、上下方向中央部において略一定であるが、上端部および下端部においてそれぞれ端部側に向けて厚くなっている。図６に示すように、外容器７の上端には、内周縁部に沿って、上側に向けて突出する上側突条７１が形成されている。上側突条７１は、上側に向けて先細る形状である。また、上側突条７１の外周側には、上向きの面からなる上側段部７２が形成されている。一方、図２に示すように、外容器７の下端部には、外周縁部に沿って、下向きの面からなる下外側段部７３が形成されている。また、下外側段部７３の内周縁部には、下外側段部７３から下側および内周側に突出するようにして、容器側継目部１２が形成されている。容器側継目部１２は、環状の突条形状のものであって、下側に向けてわずかに先細る形状であり、容器部１の開口部１１の周縁部に位置しており、以下、突起部１２という場合もある。突起部（容器側継目部）１２の下面の内外方向の幅は、下外側段部７３の幅よりも広い。そして、突起部１２の下面には、環状の取付溝部１２１が形成されている。取付溝部１２１は、下側に向けて開口する断面略コ字形の溝であって、開口側に向けてわずかに拡幅している。さらに、突起部１２の内周縁部には、上側に向けて突出する下側突条７４が形成されている。下側突条７４は、上側に向けて先細る形状である。また、下側突条７４の下側には、下向きの面からなる下内側段部７５が形成されている。下内側段部７５の高さ位置は、突起部１２の下面よりも上側であって、下外側段部７３よりも下側である。また、下内側段部７５の幅は、下外側段部７３の幅よりも狭い。そして、外容器７の外周面の下端部の左右の２箇所には、連結部４を構成する被係合部４１が形成されている。被係合部４１の詳細については、後述する。
【００１９】
内容器８は、その内径が、上下にわたって外容器７の外径と略同様に変化しているが、上端部には、上側に向けて断面ハの字形に広がる拡大部８１が形成されている。また、下端部においては、内径が最下端まで下側に向けて小さくなっており、途中に内径が大きく窄まる狭窄部８２が形成されている。肉厚は、上下にわたって略一定である。また、図６に示すように、内容器８は上端から外側へ折り返した形状となっており、その折り返し部分である上部片８３は、垂直下向きよりやや外側へ向けて延びるものであって、先細り形状であり、その上下方向長さは拡大部８１の上下方向幅と略同じである。上部片８３と拡大部８１の間には、下側に向けて開口する環状の上嵌合溝部８４が形成されている。上嵌合溝部８４は、断面略Ｖ字形の溝である。また、内容器８の外周面の拡大部８１の下側には、外側に向けて突出するリブ８５が形成されている。このリブ８５は、拡大部８１の高さと同程度の高さのものであって、外側への突出幅は内容器８の肉厚と同程度であり、周方向に４５度間隔で８箇所に形成されている。一方、図２に示すように、内容器８の下端部の、狭窄部８２の下側には、下部外側片８６と下部内側片８７が形成されている。下部外側片８６は、狭窄部８２の外周側から略垂直下向きに延びるものであって、先細り形状である。下部内側片８７は、狭窄部８２の内周側から垂直下向きよりやや内側へ向けて延びるものであって、先細り形状であり、下端は下部外側片８６の下端よりも下側である。下部外側片８６と下部内側片８７の間には、下側に向けて開口する環状の下嵌合溝部８８が形成されている。下嵌合溝部８８は、断面略Ｖ字形の溝である。
【００２０】
そして、このように構成された外容器７と内容器８が組み合わさって、容器部１となっている。図７に示すように、組み合わせる際には、外容器７および内容器８を上下逆さの状態として、内容器８の下嵌合溝部８８と上嵌合溝部８４に接着剤Ｂをためてから、下嵌合溝部８８に外容器７の下側突条７４を挿入し、上嵌合溝部８４に外容器７の上側突条７１を挿入する。このようにすると、外容器７と内容器８の間に空隙Ｓが形成され、内容器８の各リブ８５の外周側端面が、外容器７の内周面に当接する。また、内容器８の下部内側片８７の下端面が、外容器７の下内側段部７５と面一になり、内容器８の上部片８３の下端面が、外容器７の上側段部７２に当接する。なお、内容器８の下嵌合溝部８８と上嵌合溝部８４に環状のパッキンを挿入して、外容器７の下側突条７４と上側突条７１にそれぞれパッキンを当接させるようにしてもよい。また、接着剤ではなく、超音波溶着により外容器７と内容器８を接合してもよい。その場合、外容器７と内容器８の相互に当接する面の一方の面（たとえば、内容器８の上部片８３の下端面）に突起を形成しておき、それを他方の面（たとえば、外容器７の上側段部７２）に押し当てつつ超音波振動を加えることで、突起部分が溶融して両面が接合される。
【００２１】
台座部２は、図１に示すように、上側部材２ａと下側部材２ｂの２部材からなるものである。上側部材２ａと下側部材２ｂは、何れも樹脂からなり、上側部材２ａの下端部の開口部に下側部材２ｂの上端部が嵌合して一体となっている。
【００２２】
上側部材２ａは、下側に向けて外径が大きくなる略円錐台形状のものであって、中空構造であり、下面が開口している。図２および図８に示すように、上側部材２ａの上面には、環状で上側に向けて突出する外側壁部２２と内側壁部２３が形成されている。外側壁部２２は、その外周面が上側部材２ａの外周面である。内側壁部２３は、外側壁部２２の内周側に位置している。外側壁部２２は内側壁部２３よりも高さが高く、かつ内外方向の幅が広い。そして、外側壁部２２と内側壁部２３の間に、台座側継目部２１が形成されている。台座側継目部２１は、外側壁部２２の内周面と内側壁部２３の外周面を両側の側面とする環状の溝であり、以下、溝部２１という場合もある。溝部（台座側継目部）２１は、断面略コ字形で、上側（開口側）に向けてわずかに拡幅しており、溝幅は、容器部１の外容器７の突起部（容器側継目部）１２が丁度嵌まる幅となっている。また、内側壁部２３の内周側には、上面視して円形の凹部２４が形成されている。凹部２４は、直径が容器部１の開口部１１（内容器８の下部内側片８７）の内径と略同じであり、深さが溝部２１よりも深い。そして、凹部２４の底面の中心部から前側へ向けてさらに凹んだ導入部２５が形成されている。導入部２５は、前側へ向けて徐々に深くなっており、導入部２５の前端部から、半径方向に沿って上側部材２ａの外周側へと貫通する出口孔２６が形成されている。出口孔２６は、断面円形で、内側壁部２３、溝部２１および外側壁部２２の下側を通っており、その中心軸の高さは凹部２４の底面の高さに一致する。さらに、上側部材２ａの前側面には、前側に向けて突出する略円柱形状の突出部２７が形成されており、突出部２７の中心を出口孔２６が貫通している。また、図４に示すように、上側部材２ａの前側面の下端には、半円形状の切欠部２８が形成されている。そして、台座部２の外周面の上部の左右の２箇所には、連結部４を構成する軸受部４２が形成されている。軸受部４２の詳細については、後述する。
【００２３】
下側部材２ｂは、上部が下側に向けて外径が大きくなる略円錐台形状で、下部が周囲に大きく広がった裾野部９１を有する形状のものであって、中空構造であり、下面が開口している。外周面の上端よりやや下側に、段部９２が形成されており、段部９２より上側は、下側よりも外径が一回り小さくなっている。そして、この段部９２より上側部分が、上側部材２ａの下端部に嵌合する台座嵌合部９３となっている。また、図４に示すように、前側面の段部９２の上側には、半円形状の突起９４が形成されており、この突起９４が上側部材２ａの切欠部２８に嵌まることで、上側部材２ａに対する下側部材２ｂの中心軸周りの向きが規定される。すなわち、突起９４の位置が切欠部２８の位置とずれていると、突起９４が上側部材２ａの下端に干渉して、下側部材２ｂの台座嵌合部９３を上側部材２ａに挿入できないものである。また、下側部材２ｂの上面は、上面視して円形に凹んでいる。さらに、下側部材２ｂの下部の裾野部９１は、上面視して正方形の４つの角を切り落としたような形状となっている。そして、裾野部９１の前側部分のみが、上面視して半円形状にえぐられた形状となっており、当該部分の底面がさらに前側に半円形状に延出していて、円形の載置部９５となっている。
【００２４】
そして、このような容器部１と台座部２とが、接続されている。図２に示すように、容器部１が、台座部２に上側から載置されており、容器部１の突起部（容器側継目部）１２が、台座部２の溝部（台座側継目部）２１に挿入されている。そして、容器部１と台座部２の間に、シール部材３が設けられている。シール部材３は、環状のものであって、図９（ａ）に示すように、上側の固定部３１と、下側の当接部３２からなる。シール部材３の周方向に直交する断面において、固定部３１は、上下に長い略長方形であって、上側に向けてわずかに先細る形状となっており、当接部３２は、略Ｗ字形で、下側に向けて先細る山を２つ設けた形状である。このシール部材３の固定部３１が、容器部１の外容器７の突起部１２の下面の取付溝部１２１に嵌合して固定されており、シール部材３が容器部１と一体化していて、シール部材３の当接部３２が突起部１２の下面から下側に突出している。そして、このようにシール部材３を取り付けた容器部１の突起部１２が、台座部２の溝部２１に挿入されており、シール部材３が、上側の突起部１２と下側の溝部２１の底面により上下から挟まれた状態となっている。この際、突起部１２の下面と溝部２１の底面の間には隙間が生じているが、隙間の高さはシール部材３の当接部３２の高さよりも低い。よって、シール部材３の当接部３２が上下から圧縮されて弾性変形し、溝部２１の底面に密接しており、これにより、容器部１と台座部２の間の水密性が維持されている。またこの際、容器部１の下外側段部７３が台座部２の外側壁部２２の上面にわずかに隙間を開けて対向し、容器部１の下内側段部７５および下部内側片８７の下端面が台座部２の内側壁部２３の上面にわずかに隙間を開けて対向している。さらに、容器部１の開口部１１の内周面（下部内側片８７の内周面）と台座部２の内側壁部２３の内周面（凹部２４の内周面）とが略面一になっている。
【００２５】
そして、容器部１と台座部２とは、連結部４により連結されている。連結部４は、図１０に示すように、容器部１の外容器７に形成された被係合部４１と、台座部２の上側部材２ａに形成された軸受部４２と、軸受部４２に回動自在に取り付けられた係合部材４３からなる。被係合部４１は、容器部１（外容器７）の外周面の下端部の左右の２箇所に設けられており、それぞれ左右に向けて突出する平板状の板部４１１と、板部４１１を下側から支持する補強部４１２を備える。板部４１１は、上面視して前後に長い長方形状で、左右の先端縁部に沿って上側に盛り上がる隆起部４１３が形成されている。隆起部４１３は、板部４１１の厚さよりも低い。また、補強部４１２は、正面視して三角形状で、板部４１１の前後方向中央に形成されている。軸受部４２は、台座部２の外周面の上部の左右の２箇所に設けられており、正面視して台形で前後に延びていて、それぞれ左右に向けて開口する断面略Ｃ字形の軸受溝４２１が形成されている。軸受部４２の前後長さは、被係合部４１の板部４１１の前後長さと略同じである。係合部材４３は、前後に延びる軸部４３１と、軸部４３１の前後端から軸部４３１に直交して延びる腕部４３２と、前後の腕部４３２の先端部同士を連結する係合部４３３と、係合部４３３から延出する板状の把持部４３４を備えるものであり、軸部４３１と腕部４３２と係合部４３３とで略長方形の枠が形成されている。また、把持部４３４は、係合部４３３から、正面視して腕部４３２が延びる方向に略直交する方向に延出している。軸部４３１は、前後長さが軸受部４２よりわずかに長く、断面が円の一部を直線で切断した形状であり、正面視して切断線に直交する方向の幅が、軸受部４２の軸受溝４２１の開口の幅よりも狭くなっているので、軸受溝４２１に挿入可能であって、軸受溝４２１内で回動自在となる。腕部４３２は、軸受部４２および被係合部４１の前後に位置する。そして、上記のように容器部１を台座部２に載置した状態において、係合部材４３を上側に回転させると、係合部４３３が被係合部４１の板部４１１に係合する。この際、係合部４３３が板部４１１の隆起部４１３を乗り越えることで、容易に外れることはなくなる。なお、上記のとおり、容器部１の下外側段部７３と台座部２の外側壁部２２の上面の間ならびに容器部１の下内側段部７５および下部内側片８７の下端面と台座部２の内側壁部２３の上面の間には隙間が形成されており、シール部材３の当接部３２をさらに弾性変形させて容器部１と台座部２をより接近させる余地があるので、係合部４３３が隆起部４１３を乗り越えることができる。また、係合部材４３を回転させる際には、把持部４３４を把持すれば動かしやすい。このように、係合部４３３が板部４１１に係合することで、容器部１と台座部２とが連結固定され、シール部材３が容器部１と台座部２の間で圧縮されて弾性変形した状態が維持される。
【００２６】
また、台座部２の前側面の突出部２７には、供給部５が取り付けられている。供給部５は、台座部２の載置部９５の上側に位置しており、垂直下向きの供給口５１と、供給口５１の上側に位置する操作部５２を備え、継手部５３を介して突出部２７に取り付けられている。よって、容器部１の開口部１１から、台座部２の凹部２４、導入部２５、出口孔２６、継手部５３を経て供給部５までが連通している。操作部５２は、正面視して略楕円形の板状のものであって、図３に示すように、正面側に倒すことができる。操作部５２が垂直向きのとき、供給口５１は閉じられており、操作部５２の前側に倒すと、供給口５１が開かれる。よって、台座部２の載置部９５にコップを載置し、供給部５の操作部５２を操作すれば、容器部１にためた飲料が供給口５１からコップへと供給される。なお、供給部５および継手部５３は、既存のものであるから、内部構造の詳細については説明を省略する。
【００２７】
蓋６は、容器部１の上端に着脱自在に取り付けられるものであり、取り付けた状態で投入口１３を塞ぐものである。図１および図５に示すように、上面視して円形で、上側に球殻状に膨らんだ形状であり、中心部の前後部分が凹んでいて、前後の凹みの間に摘み部６１が形成されている。また、下側に向けて、容器部１の上端に挿入される挿入部６２が延出しており、挿入部６２の外周側に、容器部１の上端に当接する鍔部６３が形成されている。挿入部６２は、外径が容器部１の上端の拡大部８１の下側部分に丁度嵌まる大きさであり、上側に向けて広がる拡大部８１により、嵌めやすくなっている。また、鍔部６３は、外径が容器部１の上端の外径と同じであり、蓋６を取り付けた状態において、容器部１と蓋６とが面一となる。蓋６を取り外すことで、投入口１３から容器部１内へ飲料を投入することができ、蓋６を取り付けることで、容器部１内への異物の混入を防ぐことができる。
【００２８】
このように構成した本考案の飲料供給器によれば、容器部１が台座部２に上側から載置されるものであって、シール部材３が上側の容器部１の突起部１２と下側の台座部２の溝部２１の底面により上下から挟まれるものなので、台座部２に対して容器部１を着脱する方向と、シール部材３が弾性変形する方向が同じである。よって、台座部２に対して容器部１を着脱する際に、シール部材３と容器部１や台座部２との間に摩擦抵抗が生じることはないので、着脱が容易であり、特に分解が容易なことにより、洗浄しやすく衛生的である。また、突条形状の突起部１２が台座部２の溝部２１に挿入されるものであるから、台座部２に対して容器部１が容易かつ確実に位置決めされるので、容器部１を取り付けやすい。そして特に、容器部１の下端部には、外容器７と内容器８を接合するための下側突条７４や下嵌合溝部８８が位置しており、容器部１の下端に溝部を形成しようとすれば、容器部１の肉厚を増さなければならないので、容器部１に突起部１２を形成し台座部２に溝部２１を形成する方が簡素な形状となり好ましい。なお、溝部２１の側面を構成する外側壁部２２と内側壁部２３について、内側壁部２３の方が高さが低くなっていることにより、溝部２１の底面まで洗浄用具が届きやすく洗浄しやすい。さらに、シール部材３の固定部３１が突起部１２の取付溝部１２１に嵌合しており、シール部材３が容器部１と一体化しているので、台座部２に対する容器部１の着脱がより容易である。また、容器部１を取り付ける際に、シール部材３が所定の位置からずれて水密が不完全になることがない。さらに、容器部１を取り外す際に、シール部材３が外れて床に落ちるようなこともなく、より衛生的である。そして特に、シール部材３が突起部１２と一体化しているので、シール部材３が溝部２１と一体化しているものと比べて、容器部１と台座部２が分解された状態において、シール部材３の当接部３２がより露出するので、当接部３２が洗浄しやすく衛生的である。また、シール部材３の当接部３２の断面が下側に向けて先細る形状なので、突起部１２と台座部２の溝部２１の底面により上下から挟まれた際に弾性変形しやすく、より水密性が高いものとなる。特にこの実施形態では、当接部３２が略Ｗ字形で、下側に向けて先細る山を２つ設けた形状なので、個々の山が細く、より弾性変形しやすい。
【００２９】
なお、図９（ｂ）に示すのは、シール部材３の別実施形態である。上記の実施形態とは、固定部３１の形状が同じで当接部３２の形状が異なるものである。すなわち、このシール部材３の別実施形態の当接部３２は、略Ｖ字形で、下側に向けて先細る山を１つ設けた形状である。このシール部材３を用いた場合においても、当接部３２の断面が下側に向けて先細る形状なので、突起部１２と台座部２により上下から挟まれた際に弾性変形しやすく、より水密性が高いものとなる。
【００３０】
本考案は、上記の実施形態に限定されるものではなく、考案の趣旨の範囲内で適宜変更できる。たとえば、容器部、台座部や蓋部の形状は、必要とされる容量や、意匠性などに基づいて、適宜変更できる。また、容器側継目部と台座側継目部について、容器側継目部が溝部からなり台座側継目部が突起部からなるものであってもよいし、突起部と溝部からなるものに限られず、平面同士が対向する構造や曲面同士が対向する構造であってもよい。さらに、シール部材として、一般的なＯリングやパッキンなど種々のものを用いることが可能であり、容器側継目部または台座側継目部と一体化していないものであってもよい。また、連結部は、容器部と台座部を連結できるものであればよく、たとえば台座部に被係合部を設けて容器部に係合部材を設けたものであってもよいし、その他の構成を有するものであってもよい。さらに、供給部についても、既存の種々のものを適用可能であり、また供給部を複数設けて、同時に複数人が利用できるようにしてもよい。
【符号の説明】
【００３１】
１  容器部
１１  開口部
１２  突起部（容器側継目部）
１２１  取付溝部
２  台座部
２１  溝部（台座側継目部）
３  シール部材
３１  固定部
３２  当接部
４  連結部
５  供給部
【図１】
0003221590.tif 000003
【図２】
0003221590.tif 000004
【図３】
0003221590.tif 000005
【図４】
0003221590.tif 000006
【図５】
0003221590.tif 000007
【図６】
0003221590.tif 000008
【図７】
0003221590.tif 000009
【図８】
0003221590.tif 000010
【図９】
0003221590.tif 000011
【図１０】
0003221590.tif 000012